(57)【特許請求の範囲】
【請求項１】
塩素含有廃棄物を流動床型焼却炉で焼却し、その排ガスから塩素含有率の低い灰を回収する低塩素含有灰の回収方法において、上記排ガスから７００〜１１００℃で焼却灰を高温捕集し、該捕集灰を空気により排ガスから遮断して所定時間保持し、塩素の吸収を抑制して塩素含有率の低い灰を回収することを特徴とする低塩素含有灰の回収方法。
【請求項２】
請求項１において、上記焼却炉の燃焼用空気量を必要空気量より低くし、ＳＯｘの発生し易い燃焼条件下で塩素含有廃棄物を焼却することを特徴とする低塩素含有灰の回収方法。
【請求項３】
塩素含有廃棄物を焼却する流動床型焼却炉から排ガス経路中に設けられ、排ガス中から７００〜１１００℃で焼却灰を高温捕集する高温捕集手段と、該高温捕集手段に接続され、捕集された焼却灰を空気により排ガスから遮断して保持すると共に、該保持した灰を回収するための回収口を有する灰保持手段とからなることを特徴とする低塩素含有灰の回収装置。
【請求項４】
請求項３において、上記高温捕集手段がサイクロンからなり、該サイクロンの下部排出口に上記灰保持手段を接続してなることを特徴とする低塩素含有灰の回収装置。
【発明の詳細な説明】
【０００１】
【発明の属する技術分野】
本発明は、塩素含有率の低い灰を回収する低塩素含有灰の回収方法及び装置に関する。
【０００２】
【従来の技術】
塩素を含有した廃棄物の処理に際して、従来では流動床焼却炉で焼却された灰及び排ガスは熱交換された後、低温反応集塵装置（バグフィルター）で塩素を除去された後、灰分として回収されている。
【０００３】
【発明が解決しようとする課題】
しかしながら、従来の低温反応集塵装置での塩素を除去する際には、その排ガスから塩素を吸収するため回収する灰中には塩素を多量に含有する、という問題があり、回収灰を用いたセメント原料等の有効利用を図ることができない、という課題がある。
【０００４】
【課題を解決するための手段】
前記課題を解決する本発明の［請求項１］の発明は、塩素含有廃棄物を流動床型焼却炉で焼却し、その排ガスから塩素含有率の低い灰を回収する低塩素含有灰の回収方法において、上記排ガスから７００〜１１００℃で焼却灰を高温捕集し、該捕集灰空気により排ガスから遮断して所定時間保持し、塩素の吸収を抑制して塩素含有率の低い灰を回収することを特徴とする。
【０００５】
［請求項２］の発明は、請求項１において、上記焼却炉の燃焼用空気量を必要空気量より低くし、ＳＯｘの発生し易い燃焼条件下で塩素含有廃棄物を焼却することを特徴とする。
【０００６】
［請求項３］の低塩素含有灰の回収装置の発明は、塩素含有廃棄物を焼却する流動床型焼却炉から排ガス経路中に設けられ、排ガス中から７００〜１１００℃で焼却灰を高温捕集する高温捕集手段と、該高温捕集手段に接続され、捕集された焼却灰を空気により排ガスから遮断して保持すると共に、該保持した灰を回収するための回収口を有する灰保持手段とからなることを特徴とする。
【０００７】
［請求項４］の発明は、請求項３において、上記高温捕集手段がサイクロンからなり、該サイクロンの下部排出口に上記灰保持手段を接続してなることを特徴とする。
【０００８】
【発明の実施の形態】
以下、本発明の低塩素含有灰の回収方法及び装置の実施形態を説明するが、本発明はこれに限定されるものではない。
【０００９】
本発明の低塩素含有灰の回収方法及び装置は、塩素を含有する廃棄物を焼却した後に排ガスと灰分とを分離する高温捕集手段において、排ガス中の塩素の平衡濃度に対してより高い温度で焼却灰を高温捕集すると共に、該捕集灰を空気により排ガスから遮断しつつ所定時間保持し、灰ガス中に移行する塩素の吸収を抑制して塩素含有率の低い灰を回収するようにしたものである。
【００１０】
図１に本実施の形態にかかる低塩素含有灰の回収装置の概略を示す。
図１に示すように、塩素含有廃棄物１１を焼却する流動床型焼却炉１２からの排ガス経路１３中に設けられ、排ガス１４と焼却灰１５とを分離し、該排ガス１４中の塩素の平衡濃度より高い温度で該焼却灰１５を高温捕集する高温捕集手段であるホットサイクロン１６と、該ホットサイクロン１６に接続され、捕集された焼却灰１５を空気１７により排ガス１４から遮断して保持すると共に、該保持した焼却灰１５を回収するための灰回収口１８を有する灰保持手段１９とからなるものである。
また、高温捕集手段１６により分離された排ガス１４は熱回収手段２０により熱回収がなされた後、バグフィルター２１により低温で集塵されている。
【００１１】
図２に高温捕集手段１６と灰保持手段１９との詳細を説明する。
図２に示すように、ホットサイクロン１６の下部に接続された灰保持手段１９は内部に灰保持部材２２が設けられており、外部からの空気１７を導入する導入管２３とが設けられている。また、一定時間保持された焼却灰は灰回収口１８から排出されている。なお、図２中、符号２４は灰排出弁を図示する。
【００１２】
上記ホットサイクロン１６では、塩素の平衡濃度より高い温度で高温捕集するものであり、７００〜１１００℃で５分から４０分連続して保持するようにすればよい。
これにより、焼却灰１５から塩素が排ガス１４中へ効率よく移行することになる。
【００１３】
この場合、サイクロンの下部に接続された灰保持手段１９は内部に灰保持部材２２が設けられており、この保持部材２２の内部に空気を導入して焼却灰１５の表面を覆うようにすることにより、排ガス中に分離された塩素が再び焼却灰１５中に移行することを防止している。
これにより、単に高温に保持した場合と異なり、塩素含有率が約0.０４％以下と良好になり、焼却灰１５中の塩素が極めて少ないものとなる。この結果、回収された焼却灰１５は、セメント原料等をはじめ各種材料に用いて好適なものとなる。
【００１４】また、上記流動床型焼却炉１２における空気の導入量を低くすることでＳＯｘの発生し易い燃焼条件下で塩素含有廃棄物を焼却することで、下式の様な脱塩素が促進される。
【化１】
ＣａＣｌ2 ＋ＳＯ2 ＋１／２Ｏ2 ＋Ｈ2 Ｏ→ＣａＳＯ4 ＋２ＨＣｌ
【００１５】
空気の導入量は必要空気量の８割程度とするのが好ましい。これにより、従来に較べてＳＯｘの発生し易い燃焼条件とすることができる。
【００１６】
【発明の効果】
以上説明したように、本発明の方法では、［請求項１］の発明は、塩素含有廃棄物を流動床型焼却炉で焼却し、その排ガスから塩素含有率の低い灰を回収する低塩素含有灰の回収方法において、上記排ガスから７００〜１１００℃で焼却灰を高温捕集し、該捕集灰を空気により排ガスから遮断して所定時間保持し、塩素の吸収を抑制して塩素含有率の低い灰を回収するようにしたので、焼却灰から塩素が排ガス中へ効率よく移行することになり、この際排ガス中に分離された塩素が再び焼却灰中に移行することを防止している。
【００１７】
［請求項２］の発明は、請求項１において、上記焼却炉の燃焼用空気量を必要空気量より低くし、ＳＯｘの発生し易い燃焼条件下で塩素含有廃棄物を焼却するので、従来に較べてＳＯｘの発生し易い燃焼ができる。
【００１８】
［請求項３］の低塩素含有灰の回収装置の発明は、塩素含有廃棄物を焼却する流動床型焼却炉から排ガス経路中に設けられ、排ガス中から７００〜１１００℃で焼却灰を高温捕集する高温捕集手段と、該高温捕集手段に接続され、捕集された焼却灰を空気により排ガスから遮断して保持すると共に、該保持した灰を回収するための回収口を有する灰保持手段とからなるので、焼却灰から塩素が排ガス中へ効率よく移行することになり、排ガス側に分離された塩素が再び焼却灰中に移行することが防止される。
【００１９】
［請求項４］の発明は、請求項３において、上記高温捕集手段がサイクロンからなり、該サイクロンの下部排出口に上記灰保持手段を接続してなるので、焼却灰を所定時間保持できる。
【図面の簡単な説明】
【図１】本発明の低塩素含有灰の回収装置の概略図である。
【図２】本実施の形態にかかるホットサイクロン及び灰保持手段の概略図である。
【符号の説明】
１１  塩素含有廃棄物
１２  流動床型焼却炉
１３  排ガス経路
１４  排ガス
１５  焼却灰
１６  ホットサイクロン
１７  空気
１８  灰回収口
１９  灰保持手段
２０  熱回収手段
２１  バグフィルター
２２  灰保持部材
２３  導入管
２４  灰排出弁
【図１】
0003943706.tif 000002
【図２】
0003943706.tif 000003